(57)【要約】【課題】撮影者が自身に依頼された撮影依頼の内容を確認する際、依頼内容を撮影条件などに基づいて整理して一覧表示されていなかった。【解決手段】サーバ装置３は、依頼者が依頼者用通信機器２を使用して入力した撮影条件等の撮影依頼の内容の情報を、通信部３３を介して受信する。受信した撮影依頼の内容の情報は、記憶部３１に記憶される。サーバ装置３の制御部３０は、記憶部３１に記憶された撮影依頼の内容の情報の中から、撮影者が撮影者用通信機器４を用いて自身に依頼された撮影依頼を所定の基準で抽出する。サーバ装置３は、抽出した撮影依頼を一覧表示した依頼確認画面の画面データを作成し、撮影者用通信機器４へ送信する。依頼確認画面では、それぞれ異なる基準で抽出した撮影依頼を複数の一覧表として表示することにしてもよい。【選択図】図１
2012194889.tif 000002
【特許請求の範囲】
【請求項１】
撮影依頼者の第１の通信機器と、撮影者の第２の通信機器と通信可能なサーバ装置において、
撮影依頼を前記第１の通信機器から受信する依頼受信部と、
前記依頼受信部により受信された撮影依頼の情報を記憶する依頼記憶部と、
前記依頼記憶部に記憶されている複数の撮影依頼の情報の中から、前記第２の通信機器で依頼を確認する撮影者が依頼された情報であり、かつ、依頼内容が所定の一覧表示対象条件を満たす情報を抽出する抽出部と、
前記抽出部により抽出された撮影依頼の情報を前記第２の通信機器に一覧表示するための表示情報を前記第２の通信機器へ送信する表示情報送信部と、
を備えることを特徴とするサーバ装置。
【請求項２】
請求項１に記載のサーバ装置において、
前記抽出部は、前記依頼記憶部に記憶されている複数の撮影依頼の情報の中から、
前記第２の通信機器で依頼を確認する撮影者が依頼された情報であり、かつ、依頼内容が前記一覧表示対象条件を満たす一覧表示対象情報と、
前記第２の通信機器で依頼を確認する撮影者が依頼された情報であり、かつ、依頼内容が前記一覧表示対象条件と異なる第２の一覧表示対象条件を満たす第２の一覧表示対象情報と、
を抽出し、
前記表示情報送信部は、前記一覧表示対象情報を前記第２の通信機器に一覧表示し、前記第２の一覧表示対象情報を前記一覧表示対象情報とは別に前記第２の通信機器に一覧表示するための表示情報を、前記第２の通信機器へ送信することを特徴とするサーバ装置。
【請求項３】
請求項１または２に記載のサーバ装置において、
前記依頼受信部が受信する撮影依頼の情報は、依頼対象の撮影者を指定する指定撮影者情報を含むことができ、
前記一覧表示対象条件は、撮影依頼の情報に前記第２の通信機器で依頼を確認する撮影者に関する指定撮影者情報が含まれることであることを特徴とするサーバ装置。
【請求項４】
請求項３に記載のサーバ装置において、
依頼対象の撮影者の候補に関する候補情報を記憶する候補記憶部と、
前記候補情報を前記第１の通信機器へ送信する候補送信部と、
をさらに備え、
前記指定撮影者情報は、前記候補の中から依頼対象の撮影者を指定するものであることを特徴とするサーバ装置。
【請求項５】
請求項４に記載のサーバ装置において、
前記候補記憶部は、前記依頼対象の撮影者の候補が使用可能な撮影機材の情報を含む候補情報を記憶することを特徴とするサーバ装置。
【請求項６】
サーバ装置に記憶されている複数の撮影依頼の情報の中から抽出された撮影依頼の情報を一覧表示する一覧表示部と、
撮影依頼の情報を前記一覧表示部に一覧表示するための表示情報を前記サーバ装置から受信する表示情報受信部とを備えることを特徴とする通信機器。
【請求項７】
撮影依頼者の第１の通信機器と、撮影者の第２の通信機器と、前記第１の通信機器および前記第２の通信機器と通信可能なサーバ装置とからなる撮影依頼システムにおいて、
前記第１の通信機器は、
撮影依頼の情報を入力する依頼入力手段と、
前記依頼入力手段により入力された撮影依頼の情報を前記サーバ装置へ送信する依頼送信手段と、
を備え、
前記サーバ装置は、
前記依頼送信手段により送信された撮影依頼の情報を受信する依頼受信部と、
前記依頼受信部により受信された撮影依頼の情報を記憶する依頼記憶部と、
前記依頼記憶部に記憶されている複数の撮影依頼の情報の中から、前記第２の通信機器で依頼を確認する撮影者が依頼された情報であり、かつ、依頼内容が所定の一覧表示対象条件を満たす情報を抽出する抽出部と、
前記抽出部により抽出された撮影依頼の情報を前記第２の通信機器に一覧表示するための表示情報を前記第２の通信機器へ送信する表示情報送信部と、
を備え、
前記第２の通信機器は、
前記表示情報送信部により送信される表示情報を受信する表示情報受信部と、
前記表示情報受信部により受信される前記表示情報に応じた撮影依頼の情報の一覧を表示する一覧表示部と、
を備えることを特徴とする撮影依頼システム。
【発明の詳細な説明】
【技術分野】
【０００１】
本発明は、撮影依頼を仲介する撮影依頼システムと、それに含まれるサーバ装置と通信機器に関する。
【背景技術】
【０００２】
サーバ装置を介在させて他の撮影者に撮影してもらうデジタルデータ仲介方法が知られている。（特許文献１）
【先行技術文献】
【特許文献】
【０００３】
【特許文献１】特許第４２３９５９１号公報
【発明の概要】
【発明が解決しようとする課題】
【０００４】
依頼者と撮影者との間にサーバ装置が介在して撮影の依頼を仲介する撮影依頼システムにおいて、依頼者は様々な撮影条件を設定する。特許文献１では、撮影者が自身に依頼された撮影依頼の内容を確認する際、依頼内容を撮影条件などに基づいて整理して一覧表示されないため、不便であった。
【課題を解決するための手段】
【０００５】
本発明の一態様であるサーバ装置は、撮影依頼者の第１の通信機器と、撮影者の第２の通信機器と通信可能なサーバ装置において、撮影依頼を第１の通信機器から受信する依頼受信部と、依頼受信部により受信された撮影依頼の情報を記憶する依頼記憶部と、依頼記憶部に記憶されている複数の撮影依頼の情報の中から、第２の通信機器で依頼を確認する撮影者が依頼された情報であり、かつ、依頼内容が所定の一覧表示対象条件を満たす情報を抽出する抽出部と、抽出部により抽出された撮影依頼の情報を第２の通信機器に一覧表示するための表示情報を第２の通信機器へ送信する表示情報送信部と、を備えることを特徴とする。
本発明の別の一態様である撮影依頼システムは、撮影依頼者の第１の通信機器と、撮影者の第２の通信機器と、第１の通信機器および第２の通信機器と通信可能なサーバ装置とからなる撮影依頼システムにおいて、第１の通信機器は、撮影依頼の情報を入力する依頼入力部と、依頼入力部により入力された撮影依頼の情報をサーバ装置へ送信する依頼送信部と、サーバ装置は、依頼送信手段により送信された撮影依頼の情報を受信する依頼受信部と、依頼受信部により受信された撮影依頼の情報を記憶する依頼記憶部と、依頼記憶部に記憶されている複数の撮影依頼の情報の中から、第２の通信機器で依頼を確認する撮影者が依頼された情報であり、かつ、依頼内容が所定の一覧表示対象条件を満たす情報を抽出する抽出部と、抽出部により抽出された撮影依頼の情報を第２の通信機器に一覧表示するための表示情報を第２の通信機器へ送信する表示情報送信部と、を備え、第２の通信機器は、表示情報送信部により送信された表示情報を受信する表示情報受信手段と、表示情報受信手段により受信した表示情報に応じて撮影依頼の情報の一覧を表示する一覧表示部と、を備えることを特徴とする。
【発明の効果】
【０００６】
本発明では、撮影者は依頼された複数の撮影依頼を整理された状態で確認することができる。
【図面の簡単な説明】
【０００７】
【図１】本発明の一実施の形態におけるサーバ装置とそれを含む撮影依頼システムの構成ブロック図である。
【図２】本発明の一実施の形態における撮影依頼システムで利用可能な通信機器の一構成例を示すブロック図である。
【図３】本発明の一実施の形態における撮影依頼システムで利用される依頼条件入力画面の一例である。
【図４】本発明の一実施の形態における撮影依頼システムで利用される日時入力画面の一例である。
【図５】本発明の一実施の形態における撮影依頼システムで利用される場所入力画面の一例である。
【図６】本発明の一実施の形態における撮影依頼システムで利用される報酬入力画面の一例である。
【図７】本発明の一実施の形態における撮影依頼システムで利用される撮影者指定画面の一例である。
【図８】本発明の一実施の形態における撮影依頼システムで利用されるユーザ登録画面の一例である。
【図９】本発明の一実施の形態における撮影依頼システムで利用される依頼確認画面の一例である。
【図１０】依頼者が撮影を依頼する際の通信機器側の処理の一例を示すフローチャートである。
【図１１】依頼者が撮影を依頼する際のサーバ装置側の処理の一例を示すフローチャートである。
【図１２】撮影者が依頼された撮影依頼を確認する際の通信機器側の処理の一例を示すフローチャートである。
【図１３】撮影者が依頼された撮影依頼を確認する際のサーバ装置側の処理の一例を示すフローチャートである。
【発明を実施するための形態】
【０００８】
図１は、本発明の一実施の形態による撮影依頼システムの構成を示すブロック図である。図１に示される撮影依頼システム１は、複数の依頼者用通信機器２と、サーバ装置３と、複数の撮影者用通信機器４とを備える。複数の依頼者用通信機器２と複数の撮影者用通信機器４とは、インターネット回線や携帯電話回線などの通信回線網５を介してサーバ装置３と接続されている。
【０００９】
依頼者用通信機器２および撮影者用通信機器４は、たとえば携帯電話や通信機能を備えたデジタルカメラである。依頼者用通信機器２と撮影者用通信機器４は、同じものであってもよく、同一のユーザが所持することができる。
【００１０】
サーバ装置３は、制御部３０と、記憶部３１と、カレンダ部３２と、通信部３３とを備える。制御部３０は、マイクロプロセッサ、各種周辺回路、ＲＡＭ、ＲＯＭなどを有する。制御部３０は、サーバ装置３の各種処理を実行するため、記憶部３１や、カレンダ部３２、通信部３３などを制御する。
【００１１】
記憶部３１は、ハードディスクやフラッシュメモリである。記憶部３１は、地図データや、依頼者用通信機器２から依頼された撮影依頼の依頼情報、撮影依頼システム１を利用する依頼者や撮影者の登録情報などを記憶する。登録情報とは、依頼者と撮影者とが撮影依頼システム１を利用するため、後述するユーザ登録をしたものである。登録情報には、各ユーザの登録名、連絡先情報、所有する機材情報、決済用の擬似通貨情報などを含む。
【００１２】
カレンダ部３２は、日時情報を管理しており、制御部３０からの要求に応じて現在の日時情報を制御部３０へ送信する。通信部３３は、通信回線網５と接続する。通信部３３は、通信回線網５を介して依頼者用通信機器２および撮影者用通信機器４と通信する。
【００１３】
図２は、依頼者用通信機器２の一構成例を示すブロック図である。なお、撮影者用通信機器４は、依頼者用通信機器２と同様の構成である。図２に例示する依頼者用通信機器２は、制御部２０と、入力部２１と、記憶部２２と、表示部２３と、ＧＰＳ受信部２４と、カレンダ部２５と、撮影部２６と、通信部２７とを備える。
【００１４】
制御部２０は、マイクロプロセッサ、各種周辺回路、ＲＡＭ、ＲＯＭなどを有し、依頼者用通信機器２の各種処理を実行するために依頼者用通信機器２の各部位を制御する。制御部２０が実行する処理には、通信部２７による通信処理と、入力画面や確認画面などの各種画面を表示部２３に表示する処理と、ＧＰＳ信号に基づいて依頼者用通信機器２の位置情報を算出する処理と、撮影部２６による撮影処理とが含まれる。
【００１５】
入力部２１は、スイッチなどの各種操作部材や、音声入力用のマイク、タッチパネル、キーボードなどである。依頼者用通信機器２のユーザは、入力部２１を介して様々な入力をすることができる。記憶部２２は、フラッシュメモリなどの不揮発性の記憶装置であって、依頼者や撮影者の連絡先情報や、撮影部２６によって撮影された画像データなどを記憶する。
【００１６】
表示部２３は、液晶式ディスプレイなどである。表示部２３は、制御部２０の制御により、その表示画面上に撮影部２６が撮影した画像や、入力画面や確認画面、メニュー画面などの各種画面を表示することができる。
【００１７】
ＧＰＳ受信部２４は、複数のＧＰＳ衛星からＧＰＳ信号を受信し、受信したＧＰＳ信号を制御部２０に送信する。制御部２０は、複数のＧＰＳ衛星からのＧＰＳ信号に基づいて、依頼者用通信機器２が存在する場所の位置情報を算出することができる。
【００１８】
カレンダ部２５は、日時情報を管理しており、制御部２０の要求に応じて要求時の日時情報を送信することができる。撮影部２６は、撮影レンズや撮像素子などを備え、制御部２０の制御にしたがって被写体を撮影する。撮影した画像は、記憶部２２に記憶される。通信部２７は、制御部２０の制御にしたがって、通信回線網５と接続する。通信部２７は、通信回線網５を介してサーバ装置３と接続する。
【００１９】
撮影を依頼する依頼者は、依頼者用通信機器２の表示部２３に表示される各種入力画面へ希望の撮影条件を入力する。入力された撮影条件などの撮影依頼の内容は、通信部２７を介してサーバ装置３へ送信される。サーバ装置３は、依頼者用通信機器２から送信される撮影依頼の内容を含む依頼情報を、通信部３３を介して受信し、記憶部３１に記憶する。
【００２０】
撮影依頼を受ける撮影者は、撮影者自身が受諾可能な撮影依頼の内容を撮影者用通信機器４を用いて確認する。撮影者自身が受諾可能な撮影依頼に関する情報は、サーバ装置３で一覧表にされ、通信機器４へ送信される。
【００２１】
図３は、依頼者用通信機器２を用いて撮影条件を入力するための条件入力画面の一例である。図３の条件入力画面３００は、撮影依頼の依頼者が入力部２１を利用して依頼者用通信機器２の表示部２３に表示される不図示の操作メニューから撮影依頼を行うため項目を選択すると表示される。条件入力画面３００は、撮影日時入力欄３０１と、撮影場所入力欄３０２と、報酬額入力欄３０３と、撮影者指定欄３０４と、確定ボタン３１０とを有する。
【００２２】
図４は、依頼者が依頼者用通信機器２の入力部２１を用いて図３の撮影日時入力欄３０１を選択したときに依頼者用通信機器２の表示部２３に表示される画面の一例である。依頼者は、依頼者用通信機器２の入力部２１を用いて依頼者用通信機器２の表示部２３に表示された図４の画面に所望の撮影日時を入力することができる。
【００２３】
図４に示される日時入力画面４００は、撮影日時を入力するための日時入力欄４０１と、戻るボタン４１０とを有する。依頼者は、依頼者用通信機器２の入力部２１を用いて、日時入力欄４０１に希望する撮影日時の年月日と開始時刻と終了時刻とを入力する。入力された情報は、撮影日時に関する撮影条件として依頼者用通信機器２の記憶部２２に記憶される。
【００２４】
依頼者用通信機器２の入力部２１を用いて戻るボタン４１０が選択された場合は、表示部２３の表示画面を日時入力画面４００から図３の条件入力画面３００に戻す。なお、日時入力欄４０１に撮影日時が入力された場合は、撮影日時入力欄３０１にその撮影日時に関する情報が表示される。
【００２５】
図５は、依頼者が依頼者用通信機器２の入力部２１を用いて図３の撮影場所入力欄３０２を選択したときに依頼者用通信機器２の表示部２３に表示される画面の一例である。依頼者は、依頼者用通信機器２の入力部２１を用いて依頼者用通信機器２の表示部２３に表示された図５の画面に所望の撮影場所を入力することができる。
【００２６】
図５に示される場所入力画面５００は、依頼者が撮影して欲しい場所を指定するための地点名称入力欄５０１と、撮影して欲しい場所の緯度および経度を入力する緯度経度入力欄５０２と、戻るボタン５１０を有する。依頼者は、依頼者用通信機器２の入力部２１を用いて、地点名称入力欄５０１を選択し、「富士山」などの地点名称を文字入力することができる。
【００２７】
また、依頼者が依頼者用通信機器２の入力部２１を用いて緯度経度入力欄５０２を選択すると、依頼者用通信機器２の表示部２３に不図示の地図画面が表示される。依頼者は、依頼者用通信機器２の入力部２１を用いて、依頼者用通信機器２の表示部２３に表示される地図の中から撮影して欲しい場所を入力する。
【００２８】
依頼者用通信機器２の表示部２３に表示される地図画面は、依頼者用通信機器２からの要求により、サーバ装置３が記憶部３１に記憶されている地図データがダウンロードされて表示される。依頼者が表示された地図上でカーソル等を用いて撮影希望地を選択指定すると、その場所に応じた緯度経度の情報が緯度経度入力欄５０２へ入力される。
【００２９】
依頼者用通信機器２の入力部２１を用いて戻るボタン５１０が選択された場合は、場所入力画面５００から図３の条件入力画面３００に表示部２３の表示を戻す。なお、撮影場所が入力された場合は、撮影場所入力欄３０２にその撮影場所に関する情報が表示される。
【００３０】
図６は、依頼者が依頼者用通信機器２の入力部２１を介して図３の報酬額入力欄３０３を選択したときに依頼者用通信機器２の表示部２３に表示される画面の一例である。依頼者は、依頼者用通信機器２の表示部２３に表示された図６の画面に依頼者用通信機器２の入力部２１を用いて撮影者に支払う報酬を入力することができる。
【００３１】
図６に示される報酬入力画面６００は、依頼者が撮影者に支払う予定の報酬額を入力する報酬額入力欄６０１と、戻るボタン６１０とを有する。依頼者は、報酬額入力欄６０１を選択後、依頼者用通信機器２の入力部２１を用いて報酬額を入力することができる。報酬額の単位は、たとえばサーバ装置３を管理する法人などが発行する擬似通貨（ポイント）などでよい。
【００３２】
依頼者が依頼者用通信機器２の入力部２１を用いて戻るボタン６１０を選択した場合は、表示部２３の表示画面を報酬入力画面６００から図３の条件入力画面３００に戻す。なお、ユーザにより報酬額が入力された場合は、条件入力画面３００の報酬額入力欄３０３にその報酬額が表示される。
【００３３】
図７は、依頼者が依頼者用通信機器２の入力部２１を用いて撮影者指定欄３０４を選択したときに依頼者用通信機器２の表示部２３に表示される画面の一例である。図７に示される撮影者指定画面７００は、サーバ装置３の記憶部３１に登録情報が記憶されている撮影者を一覧表示する撮影者指定欄７０１と、戻るボタン７１０とを有する。
【００３４】
撮影者指定欄７０１は、サーバ装置３の記憶部３１に記憶されている撮影者の登録情報に基づいて、撮影者の登録名と撮影機材とが表示されている。依頼者は、撮影者指定欄７０１に一覧表示された撮影者の中から、撮影を依頼する撮影者を選択指定する。図７の例では、選択欄に丸印が付された登録名が「ＡＡＡＡ」の撮影者が選択されている。
【００３５】
依頼者が依頼者用通信機器２の入力部２１を用いて戻るボタン７１０を選択した場合は、表示部２３の表示画面を撮影者指定画面７００から図３の条件入力画面３００に戻す。なお、ユーザにより撮影者が選択された場合は、条件入力画面３００の撮影者指定欄３０４に指定した撮影者の情報が表示される。
【００３６】
図３の条件入力画面３００において、依頼者が依頼者用通信機器２の入力部２１を用いて確定ボタン３１０を選択すると、依頼する撮影の撮影条件が確定する。依頼者用通信機器２は、条件入力画面３００を用いて入力された撮影条件と、依頼者の連絡先情報とを、依頼情報として通信部２７を介してサーバ装置３へ送信する。サーバ装置３は、送信された依頼情報を受信し、記憶部３１に記憶する。なお、条件入力画面３００に入力する撮影条件のうち、撮影日時と、撮影場所と、報酬額の入力は必須項目とし、それらの入力が完了するまで確定ボタン３１０を選択できないように制御してもよい。
【００３７】
図８は、依頼者や撮影者などの撮影依頼システム１のユーザがサーバ装置３にユーザ登録を行うための登録画面の一例である。図８のユーザ登録画面８００は、撮影者が使用する依頼者用通信機器２または撮影者用通信機器４の表示部２３に表示される。ユーザ登録画面８００は、ユーザ名登録欄８０１と、連絡先登録欄８０２と、撮影機材登録欄８０３と、登録終了ボタン８１０とを有する。
【００３８】
ユーザ名登録欄８０１には、ユーザが入力部２１を利用してユーザの登録名を入力する。連絡先登録欄８０２には、ユーザが入力部２１を利用してメールアドレスや電話番号などの連絡先情報を登録する。
【００３９】
撮影機材登録欄８０３には、ユーザが入力部２１を用いて、ユーザが使用可能な撮影機材を登録する。撮影機材登録欄８０３に登録可能な撮影機材は、たとえば一眼レフデジタルカメラやコンパクトフィルムカメラなどの各種カメラや、カメラ付き携帯電話、交換レンズ、三脚、ストロボなどである。撮影機材登録欄８０３には、たとえば機材種別（カメラ、レンズなど）と、型式と、その他詳細情報（一眼レフ、画素数、焦点距離など）とを登録する欄が存在する。
【００４０】
ユーザが入力部２１を用いて登録終了ボタン８１０を選択すると、ユーザ登録画面８００に入力された情報が登録情報としてサーバ装置３へ送信される。サーバ装置３への登録情報の送信は、通信部２７を介して行われる。サーバ装置３は、依頼者用通信機器２または撮影者用通信機器４から登録情報が送信されると、その情報を記憶部３１に記憶する。
【００４１】
図９は、撮影者が自分に依頼された情報を確認するための画面の一例である。図９に示す依頼確認画面９００は、撮影者が使用する撮影者用通信機器４の表示部２３に表示される。以降、図９の画面は、撮影者ＡＡＡＡが使用している撮影者用通信機器４の表示部２３に表示された画面とし、撮影者ＡＡＡＡへの依頼が表示されているものとする。
【００４２】
図９の依頼確認画面９００には、第１依頼表示欄９０１と、第２依頼表示欄９０２と、受諾回答ボタン９０３と、拒絶回答ボタン９０４とが存在する。図９の依頼確認画面９００を表示するための画面データは、サーバ装置３で作成され、撮影者用通信機器４へ送信される。
【００４３】
図９の例では、第１依頼表示欄９０１には、図７の撮影者指定画面７００において撮影者ＡＡＡＡを指名撮影者として指定した依頼者の情報と、その依頼者が入力した報酬額とが一覧表示されている。第１依頼表示欄９０１に表示される情報は、サーバ装置３の記憶部３１に記憶された依頼情報の中から、指名撮影者として撮影者ＡＡＡＡが入力されているものを抽出して表示される。
【００４４】
図９の例では、第２依頼表示欄９０２には、次の三つの条件を同時に満たす依頼をした依頼者の情報と、その依頼者が入力した報酬額とが一覧表示されているものとしている。
（条件１）指名撮影者が指定されていない。
（条件２）図５の場所入力画面５００に入力された撮影場所が依頼確認画面９００の画面データ作成時点において撮影者ＡＡＡＡの撮影者用通信機器４が在る場所の周辺である。
（条件３）依頼確認画面９００の画面データ作成した日時が図４の日時入力画面４００に入力された撮影日時の範囲内に含まれる。
第２依頼表示欄９０２に表示される情報も、第１依頼表示欄９０１に表示される情報と同様に、サーバ装置３の記憶部３１に記憶された依頼情報の中から抽出して表示される。
【００４５】
図９の例では、第１依頼表示欄９０１には撮影者ＡＡＡＡが指定された撮影依頼が表示され、第２依頼表示欄９０２には必ずしも撮影者ＡＡＡＡでなくてもよい撮影依頼が表示されている。撮影者ＡＡＡＡは、二つの表示欄に異なる条件で表示されることにより、撮影依頼を容易に取捨選択することができる。
【００４６】
なお、撮影者ＡＡＡＡの撮影者用通信機器４が在る場所の位置情報は、撮影者用通信機器４のＧＰＳ受信部２４が受信したＧＰＳ信号に基づいて算出される。図５の場所入力画面５００に入力された撮影場所の周辺にあるか否かは、たとえばＧＰＳ信号に基づいて算出された緯度・経度と、図５の緯度経度入力欄５０２に入力した緯度・経度から算出される距離が所定距離以下か否かを判定すればよい。地点名称入力欄５０１に地点名称を入力することにより撮影場所が指定された場合は、たとえばその地点名称をキーとしてサーバ装置３の記憶部３１に記憶された地図データを検索し、対応する地点名称の緯度・経度を算出し、撮影者ＡＡＡＡの撮影者用通信機器４が在る場所との比較に用いればよい。依頼確認画面９００の画面データを作成した日時は、サーバ装置３のカレンダ部３２から取得すればよい。
【００４７】
図９では、第１依頼表示欄９０１に表示されている各依頼の依頼者の情報とその依頼の報酬額（以降、依頼項目と称する）、および第２依頼表示欄９０２に表示されている依頼項目は、報酬額の降順に並び替えられて表示されている。
【００４８】
撮影者ＡＡＡＡが第１依頼表示欄９０１または第２依頼表示欄９０２の中から依頼項目を選択し、受諾回答ボタン９０３を選択すると、選択された依頼項目に対応した依頼が受諾される。撮影者ＡＡＡＡが第１依頼表示欄９０１または第２依頼表示欄９０２の中から依頼項目を選択し、拒絶回答ボタン９０４を選択すると、選択された依頼項目に対応した依頼が拒絶される。
【００４９】
撮影者ＡＡＡＡが依頼確認画面９００に表示された依頼項目を受諾または拒絶すると、その回答が撮影者用通信機器４の通信部２７を介してサーバ装置３へ送信される。サーバ装置３は、受諾された撮影依頼について、その依頼者の依頼者用通信機器２へ受諾回答を送信する。また、拒絶された撮影依頼については、その依頼者の依頼者用通信機器２へ拒絶回答を送信する。
【００５０】
なお、サーバ装置３は、拒絶された撮影依頼については各種撮影条件を再設定させてもよい。撮影者の撮影者用通信機器４から受諾回答を受けたサーバ装置３は、受諾された撮影依頼に対して所定の受諾依頼番号を発行し、記憶部３１に記憶されている撮影依頼の情報にその受諾依頼番号と受諾した撮影者の登録情報を参照するための情報とを合わせて記憶する。そして、サーバ装置３は、受諾回答を送信した撮影者用通信機器４へ受諾依頼番号を送信する。
【００５１】
受諾回答を送信した撮影者用通信機器４は、通信部２７を介してサーバ装置３から受諾依頼番号を受信し、その受諾依頼番号を受諾回答を送信した撮影依頼の情報に付して撮影者用通信機器４の記憶部２２に記憶する。撮影依頼を受諾した撮影者は、依頼された撮影条件に基づいて撮影を行う。撮影者は、サーバ装置３に登録していた撮影機材などを用いて、指定された撮影日時の範囲内に指定された撮影場所を撮影する。
【００５２】
撮影者は、撮影者用通信機器４を用いて、撮影画像データを受諾依頼番号と共にサーバ装置３へ送信する。サーバ装置３は、通信部３３を介して、撮影者用通信機器４から送信された撮影画像データと受諾依頼番号とを受信する。サーバ装置３は、受信した受諾依頼番号に基づいて、同時に受信した撮影画像データが記憶部３１に記憶されている何れの撮影依頼のためのものなのかを識別する。サーバ装置３は、受諾依頼番号に基づいて記憶部３１に記憶された撮影依頼を参照し、依頼者が撮影依頼したときに使用した依頼者用通信機器２を特定する。サーバ装置３は、撮影者用通信機器４から送信された撮影画像データを、受諾依頼番号に基づいて特定した依頼者の依頼者用通信機器２へ送信する。
【００５３】
なお、サーバ装置３は、受諾した撮影依頼に基づいた撮影画像データを納品するための納品画面を撮影者用通信機器４へ提供してもよい。この場合、撮影者は、撮影者用通信機器４の表示部２３に表示された納品画面へ納品する撮影依頼の受諾依頼番号を入力し、撮影画像データのアップロードを行う。また、納品画面において、撮影画像データを撮影したときの撮影機材の設定等を入力できるようにしてもよい。このとき、たとえばサーバ装置３は、撮影者の登録情報に記憶された撮影機材の情報と、納品画面に入力された撮影機材の設定とを撮影画像データと共に依頼者の依頼者用通信機器２へ送信する。これにより、依頼者は撮影画像データの撮影方法を知ることができ、撮影者の技術を習得することができる。
【００５４】
図１０は、依頼者が撮影依頼を行う際に依頼者用通信機器２によって実行される処理のフローチャートである。図１０に示す処理は、依頼者用通信機器２の制御部２０で実行される。
【００５５】
ステップＳ１０１では、依頼者用通信機器２の制御部２０は、依頼者用通信機器２の通信部２７を介してサーバ装置３へ条件入力画面の画面データの送信要求を行う。ステップＳ１０２では、依頼者用通信機器２の制御部２０は、依頼者用通信機器２の通信部２７を介してサーバ装置３から送信される条件入力画面の画面データを受信する。ステップＳ１０３では、依頼者用通信機器２の制御部２０は、ステップＳ１０２で受信した条件入力画面の画面データに基づいて、依頼者用通信機器２の表示部２３に条件入力画面を表示する。
【００５６】
ステップＳ１０４では、依頼者用通信機器２の制御部２０は、依頼者用通信機器２の入力部２１を利用した図３の撮影日時入力欄３０１の選択を受け付け、図４の日時入力画面４００を依頼者用通信機器２の表示部２３に表示させる。そして、依頼者に所望の撮影日時を入力させる。撮影日時の入力後、戻るボタン４１０が選択されると、依頼者用通信機器２の制御部２０は図１０の処理をステップＳ１０５に進める。ステップＳ１０５では、依頼者用通信機器２の制御部２０は、依頼者用通信機器２の入力部２１を利用した図３の撮影場所入力欄３０２の選択を受け付け、図５の場所入力画面５００を依頼者用通信機器２の表示部２３に表示させる。そして、依頼者に所望の撮影場所を入力させる。撮影場所の入力後、戻るボタン５１０が選択されると、依頼者用通信機器２の制御部２０は図１０の処理をステップＳ１０６に進める。ステップＳ１０６では、依頼者用通信機器２の制御部２０は、依頼者用通信機器２の入力部２１を利用した図３の報酬額入力欄３０３の選択を受け付け、図６の報酬入力画面６００を依頼者用通信機器２の表示部２３に表示させる。そして、依頼者が撮影者に支払う報酬額を入力させる。報酬額の入力後、戻るボタン６１０が選択されると、依頼者用通信機器２の制御部２０は図１０の処理をステップＳ１０７に進める。
【００５７】
ステップＳ１０７では、依頼者用通信機器２の制御部２０は、依頼者用通信機器２の入力部２１を介して図３の撮影者指定欄３０４が選択されたか否かを判定する。撮影者指定欄３０４が選択された場合は、依頼者用通信機器２の制御部２０は図１０の処理をステップＳ１０８に進める。撮影者指定欄３０４が選択されなかった場合は、依頼者用通信機器２の制御部２０は図１０の処理をステップＳ１０９に進める。ステップＳ１０８では、依頼者用通信機器２の制御部２０は、図７の撮影者指定画面７００を依頼者用通信機器２の表示部２３に表示させ、依頼者に指名撮影者を入力させる。報酬額の入力後、戻るボタン７１０が選択されると、依頼者用通信機器２の制御部２０は図１０の処理をステップＳ１０９に進める。
【００５８】
ステップＳ１０９では、依頼者用通信機器２の制御部２０は、依頼者用通信機器２の入力部２１を利用して図３の確定ボタン３１０が選択されたか否かを判定する。確定ボタン３１０が選択された場合は、依頼者用通信機器２の制御部２０は図１０の処理をステップＳ１１０に進める。確定ボタン３１０が選択されなかった場合は、依頼者用通信機器２の制御部２０は図１０の処理をステップＳ１０７に戻す。ステップＳ１１０では、依頼者用通信機器２の制御部２０は、依頼者用通信機器２の通信部２７を介して、条件入力画面３００に入力された情報に基づいた依頼情報をサーバ装置３へ送信する。依頼者用通信機器２の制御部２０は、サーバ装置３へ依頼情報を送信したら図１０の処理を終了する。
【００５９】
ステップＳ１０４からステップＳ１０６の処理の順番は前後してもよく、ステップＳ１０９の判定が肯定判定されるまでは、撮影日時、撮影場所、報酬額の再入力を行ってもよい。
【００６０】
図１１は、依頼者が撮影依頼を行う際にサーバ装置３によって実行される処理のフローチャートである。図１１に示す処理はサーバ装置３の制御部３０で実行され、図１０のステップＳ１０１で依頼者用通信機器２から条件入力画面３００の画面データの要求があったときに実行を開始する。
【００６１】
ステップＳ２０１では、サーバ装置３の制御部３０は、サーバ装置３の通信部３３を介して、条件入力画面３００の画面データを要求した依頼者用通信機器２へ条件入力画面３００の画面データを送信する。ステップＳ２０２では、サーバ装置３の制御部３０は、ステップＳ２０１において条件入力画面３００の画面データを送信した依頼者用通信機器２が図１０のステップＳ１１０を実行し、送信する依頼情報を受信する。ステップＳ２０３では、サーバ装置３の制御部３０は、ステップＳ２０２で受信した依頼情報を記憶部３１に記憶し、図１１の処理を終了する。
【００６２】
図１２は、撮影者が自分に依頼された撮影依頼を確認する際に撮影者用通信機器４が実行する処理のフローチャートである。図１２に示す処理は、サーバ装置３にユーザ登録した撮影者が使用可能な撮影者用通信機器４の制御部２０により実行される。
【００６３】
ステップＳ３０１では、撮影者用通信機器４の制御部２０は、撮影者用通信機器４の通信部２７を介して、サーバ装置３へ図９の依頼確認画面９００の画面データの送信を要求する。ステップＳ３０２では、撮影者用通信機器４の制御部２０は、撮影者用通信機器４の通信部２７を介して、撮影者用通信機器４が在る場所の位置情報をサーバ装置３へ送信する。撮影者用通信機器４が在る場所の位置情報は、撮影者用通信機器４のＧＰＳ受信部２４から受信されるＧＰＳ信号に基づいて算出される。ステップＳ３０３では、撮影者用通信機器４の制御部２０は、撮影者用通信機器４の通信部２７を介して、サーバ装置３から依頼確認画面９００の画面データを受信する。ステップＳ３０４では、撮影者用通信機器４の制御部２０は、ステップＳ３０３で受信した依頼確認画面９００の画面データに基づいて、撮影者用通信機器４の表示部２３に依頼確認画面９００を表示する。ステップＳ３０５では、撮影者用通信機器４の制御部２０は、撮影者に依頼確認画面９００に表示された依頼項目を選択させる。そして、撮影者用通信機器４の制御部２０は、撮影者に受諾回答ボタン９０３または拒絶回答ボタン９０４を選択させ、選択した依頼項目の依頼に対して受諾するか拒絶するかを決定させる。ステップＳ３０６では、撮影者用通信機器４の制御部２０は、撮影者用通信機器４の通信部２７を介して、ステップＳ３０５で選択した依頼項目に対する受諾回答または拒絶回答をサーバ装置３へ送信し、図１２の処理を終了する。
【００６４】
図１３は、撮影者が自分に依頼された撮影依頼を確認する際にサーバ装置３が実行する処理のフローチャートである。図１３に示す処理は、サーバ装置３の制御部３０により実行され、ユーザ登録された撮影者が撮影者用通信機器４を用いて図９の依頼確認画面９００の画面データを要求したときに実行を開始する。
【００６５】
ステップＳ４０１では、サーバ装置３の制御部３０は、通信部３３を介して、図１２のステップＳ３０２で撮影者用通信機器４から送信される当該撮影者用通信機器４が在る場所の位置情報を受信する。ステップＳ４０２では、サーバ装置３の制御部３０は、第１依頼表示欄９０１に表示する情報を、サーバ装置３の記憶部３１に記憶された依頼情報の中から抽出する。ステップＳ４０３では、サーバ装置３の制御部３０は、第２依頼表示欄９０２に表示する情報を、サーバ装置３の記憶部３１に記憶された依頼情報の中から抽出する。ステップＳ４０４では、ステップＳ４０２で抽出した情報と、ステップＳ４０３で抽出した情報とに基づいて、依頼確認画面９００の画面データを作成する。ステップＳ４０５では、依頼確認画面９００の画面データを要求した撮影者用通信機器４に対して、ステップＳ４０４で作成した依頼確認画面９００の画面データを提供し、図１３の処理を終了する。
【００６６】
以上説明した各実施の形態によれば、次の作用効果を奏する。
本発明の一実施形態であるサーバ装置３は、通信部３３を用いて、条件入力画面３００に入力された各種撮影条件を依頼者用通信機器２から受信する。そして、受信した撮影条件等の情報を記憶部３１に記憶する。サーバ装置３の制御部３０は、撮影者が自身に依頼された撮影依頼を確認することを要求したとき、記憶部３１に記憶された撮影依頼の中から第１依頼表示欄９０１または第２依頼表示欄９０２に表示する情報を抽出する（図１３のステップＳ４０２およびステップＳ４０３）。そして、サーバ装置３は、図９に示す依頼確認画面９００の画面データを作成し（図１３のステップＳ４０４）、通信部３３を介して依頼先の撮影者の撮影者用通信機器４へ送信する（図１３のステップＳ４０５）。これにより、撮影者は依頼された複数の撮影依頼を整理された状態で確認することができる。
【００６７】
以上の各実施の形態は、以下のように変形して実施できる。
上記の実施の形態では、図７の撮影者指定画面７００において、撮影者が使用可能な登録撮影機材の情報を依頼者用通信機器２の表示部２３に表示したが、撮影者に関する他の情報を表示することにしてもよい。たとえば、撮影者が過去に獲得した報酬の総額を表示することにしてもよい。依頼者は、撮影者が過去に獲得した報酬を見て、撮影者の経験を判断することができる。
【００６８】
図７の撮影者指定画面７００に情報が表示される撮影者は、既に場所入力画面５００に撮影場所の情報が入力されている場合、撮影者指定画面７００を表示する時点でその撮影場所の周辺にいる撮影者に限定してもよい。撮影依頼を受けることを希望する撮影者の撮影者用通信機器４がＧＰＳ信号に基づいて算出した位置情報を、撮影者用通信機器４からサーバ装置３へ定期的に送信し、サーバ装置３はそれらの位置情報を記憶部３１に記憶しておけばよい。
【００６９】
上記の実施の形態では、図９の依頼確認画面９００には、第１依頼表示欄９０１と、第２依頼表示欄９０２という二つの依頼確認画面を並べて表示したが、この表示形態に限定しない。たとえば、三つ以上の依頼確認画面を並べて表示してもよいし、一つだけを表示することにしてもよい。また、１以上の依頼確認画面を切り換えて表示するようにしてもよい。
【００７０】
また、依頼確認画面に表示される依頼項目の条件は、上記の二つに限定しない。たとえば、上記の（条件１）だけ満たせばよいことにしてもよいし、（条件２）だけ満たせばよいことにしてもよい。
【００７１】
上記の実施の形態では、依頼者用通信機器２の表示部２３に図３の条件入力画面３００を表示する際、その画面データを依頼者用通信機器２がサーバ装置３へ要求することとしたが、依頼者用通信機器２に条件入力画面３００を表示させるための画面データやプログラムを予め記憶させておいてもよい。
【００７２】
上記の実施形態では、ユーザが使用可能な撮影機材は、ユーザが入力部２１を介してユーザ登録画面８００に入力することとした。しかし、撮影者用通信機器４を撮影機材として登録する場合は、通信部２７を介して撮影者用通信機器４の機材情報を送信してサーバ装置３に登録することにしてもよい。
【００７３】
以上で説明した各実施の形態や各種の変形例はあくまで一例であり、発明の特徴が損なわれない限り、本発明はこれらの内容に限定されない。
【符号の説明】
【００７４】
１  撮影依頼システム
２，４  通信機器
３  サーバ装置
５  通信回線網
（サーバ装置側）
３０  制御部
３１  記憶部
３２  カレンダ部
３３  通信部
（通信機器側）
２０  制御部
２１  入力部
２２  記憶部
２３  表示部
２４  ＧＰＳ受信部
２５  カレンダ部
２６  撮影部
２７  通信部
（表示画面）
３００  条件入力画面
４００  日時入力画面
５００  場所入力画面
６００  報酬入力画面
７００  撮影者指定画面
８００  ユーザ登録画面
９００  依頼確認画面
【図１】
2012194889.tif 000003
【図２】
2012194889.tif 000004
【図３】
2012194889.tif 000005
【図４】
2012194889.tif 000006
【図５】
2012194889.tif 000007
【図６】
2012194889.tif 000008
【図７】
2012194889.tif 000009
【図８】
2012194889.tif 000010
【図９】
2012194889.tif 000011
【図１０】
2012194889.tif 000012
【図１１】
2012194889.tif 000013
【図１２】
2012194889.tif 000014
【図１３】
2012194889.tif 000015